(57)【要約】【課題】施設において、インフラの整備のためのコストを従来よりも抑え、かつ、出力先として携帯情報端末を用いることなく、停電の際に緊急性の高い情報を報知できるようにする。【解決手段】制御装置２０は、緊急または非常に関する情報を入力信号スイッチ２４の入力端子２４ｈへ出力する。緊急または非常を示す合図が入力されると切換信号６Ｋ１を入力信号スイッチ２４のＵＳＢインタフェースボード２４ｕへ出力する。入力信号スイッチ２４は、通常は、入力端子２４ｔから入力される通常映像信号６Ｔを出力端子２４ｓからディスプレイ３へ出力するが、切換信号６Ｋ１が入力されたら、通常映像信号６Ｔに代えて入力端子２４ｈから入力される緊急映像信号６Ｈを出力する。【選択図】図１
2017004376.tif 000002
【特許請求の範囲】
【請求項１】
制御部と、ＵＰＳ（Uninterrupted Power Supply）と、スイッチと、によって構成される緊急情報表示支援ユニットであって、
前記スイッチは、
第一の情報を入力する第一の入力手段と、
第二の情報を入力する第二の入力手段と、
切換えに関する切換信号を入力する第三の入力手段と、
前記第一の入力手段に入力された前記第一の情報および前記第二の入力手段に入力された前記第二の情報を、前記第三の入力手段によって入力された前記切換信号に基づいて選択的にディスプレイへ出力する出力手段と、
を有し、
前記制御部には、
緊急または非常に関する情報を前記第一の情報として前記第一の入力手段へ出力する、緊急情報出力手段と、
緊急または非常を示す合図が入力されると、前記第一の情報を出力するように切り換えるための信号を前記切換信号として前記第三の入力手段へ出力する、切換信号出力手段と、
を有し、
前記ＵＰＳは、
停電の際に前記ディスプレイへ電力を供給する、
ことを特徴とする緊急情報表示支援ユニット。
【請求項２】
前記緊急情報出力手段は、前記合図が入力されると、前記緊急または非常に関する情報を出力する、
請求項１に記載の緊急情報表示支援ユニット。
【請求項３】
前記制御部、前記ＵＰＳ、および前記スイッチが１つの筐体に収納されている、
請求項１または請求項２に記載の緊急情報表示支援ユニット。
【請求項４】
前記合図は、前記ＵＰＳから発信される、停電を表わす信号である、
請求項１ないし請求項３のいずれかに記載の緊急情報表示支援ユニット。
【請求項５】
前記合図は、所定の文字列を含む電子メールである、
請求項１ないし請求項３のいずれかに記載の緊急情報表示支援ユニット。
【請求項６】
前記緊急情報出力手段は、前記緊急または非常に関する情報を、前記合図に応じて出力する、
請求項１ないし請求項５のいずれかに記載の緊急情報表示支援ユニット。
【請求項７】
前記切換信号出力手段は、メンテナンスを開始する旨を示す開始合図が前記制御部に入力されてから、当該メンテナンスを終了する旨を示す終了合図が前記制御部に入力されるまでの間は、前記第一の情報を出力するように切り換えるための信号を出力しない、
請求項１ないし請求項６のいずれかに記載の緊急情報表示支援ユニット。
【請求項８】
前記ＵＰＳは、停電の際に、さらに前記制御部へ電力を供給する、
請求項１ないし請求項７のいずれかに記載の緊急情報表示支援ユニット。
【請求項９】
第一の情報を入力する第一の入力手段、第二の情報を入力する第二の入力手段、切換えに関する切換信号を入力する第三の入力手段、前記第一の入力手段に入力された前記第一の情報および前記第二の入力手段に入力された前記第二の情報を、前記第三の入力手段によって入力された前記切換信号に基づいて選択的にディスプレイへ出力する出力手段、を有するスイッチと、停電の際に前記ディスプレイへ電力を供給するＵＰＳと、ともに使用される表示制御装置であって、
緊急または非常に関する情報を前記第一の情報として前記第一の入力手段へ出力する、緊急情報出力手段と、
緊急または非常を示す合図が入力されると、前記第一の情報を出力するように切り換えるための信号を前記切換信号として前記第三の入力手段へ出力する、切換信号出力手段と、
を有することを特徴とする表示制御装置。
【請求項１０】
制御装置、ＵＰＳ（Uninterrupted Power Supply）、およびスイッチを用いて、ディスプレイに表示する情報を制御する、表示制御方法であって、
第一の情報を入力する第一の入力手段と、第二の情報を入力する第二の入力手段と、切換えに関する切換信号を入力する第三の入力手段と、前記第一の入力手段に入力された前記第一の情報および前記第二の入力手段に入力された前記第二の情報を、前記第三の入力手段によって入力された前記切換信号に基づいて選択的にディスプレイへ出力する出力手段と、を有するスイッチを、前記スイッチとして使用し、
緊急または非常に関する情報を前記第一の情報として前記第一の入力手段へ出力する処理を前記制御装置に実行させ、
前記制御装置に緊急または非常を示す合図が入力されると、前記第一の情報を出力するように切り換えるための信号を前記切換信号として前記第三の入力手段へ出力する処理を前記制御装置に実行させ、
前記ＵＰＳに、停電の際に前記ディスプレイへ電力を供給させる、
ことを特徴とする表示制御方法。
【請求項１１】
第一の情報を入力する第一の入力手段、第二の情報を入力する第二の入力手段、切換えに関する切換信号を入力する第三の入力手段、前記第一の入力手段に入力された前記第一の情報および前記第二の入力手段に入力された前記第二の情報を、前記第三の入力手段によって入力された前記切換信号に基づいて選択的にディスプレイへ出力する出力手段、を有するスイッチと、停電の際に前記ディスプレイへ電力を供給するＵＰＳと、ともに使用されるコンピュータを制御するためのコンピュータプログラムであって、
緊急または非常に関する情報を前記第一の情報として前記第一の入力手段へ出力する処理を前記コンピュータに実行させ、
緊急または非常を示す合図が入力された場合に、前記第一の情報を出力するように切り換えるための信号を前記切換信号として前記第三の入力手段へ出力する処理を、前記コンピュータに実行させる、
ことを特徴とするコンピュータプログラム。
【発明の詳細な説明】
【技術分野】
【０００１】
本発明は、病院などの施設における情報の表示の技術に関する。
【背景技術】
【０００２】
従来、病院、役所、または学校などの施設に、訪問者に対して情報を報知するためのシステムが備えられている。
【０００３】
このシステムは、主に１台または複数台のディスプレイ、通信回線、および配信装置によって構成される。
【０００４】
配信装置は、緊急でも非常でもないときには、施設の案内のような緊急性の低い情報をディスプレイへ配信する。しかし、緊急または非常の際は、避難に関する指示のような緊急性の高い情報をディスプレイへ配信する。これらの情報は、通信回線を介して配信される。
【０００５】
また、停電の発生に対応するための技術として、次のような技術が提案されている。緊急情報が通知されたことが検出され、かつ、外部からの電力供給が遮断されたことが検出されると、通信部は、その旨を携帯情報端末へ通知する（特許文献１）。携帯情報端末には、一般に、充電池が備えられている。よって、停電が発生しても、携帯情報端末は、情報を受信することができる。
【先行技術文献】
【特許文献】
【０００６】
【特許文献１】特開２０１３−１９６５７０号公報
【発明の概要】
【発明が解決しようとする課題】
【０００７】
非常事態の１つとして、停電がある。停電が発生すると、情報を訪問者に対して報知することができなくなる。
【０００８】
そこで、上記のシステムを構成するディスプレイ、配信装置、および通信回線などへの電力の供給を予備電源によって行うことが考えられる。
【０００９】
しかし、施設には、これらの機器以外に様々な機器が備わっている。よって、停電の際に施設内のすべての機器への電力の供給を予備電源で賄えるようにインフラを整備すると、多大なコストが掛かる。
【００１０】
そこで、特許文献１に記載する技術を用いることが、考えられる。近年、スマートフォンおよび携帯電話端末などの携帯情報端末が普及しているので、施設の多くの訪問者が携帯情報端末を所有している。よって、緊急性の高い情報を訪問者の携帯情報端末へ送信すれば、コストを抑えることができるかもしれない。
【００１１】
しかし、訪問者の携帯情報端末へ情報を送信するには、送信側が訪問者の携帯情報端末の識別子（例えば、電子メールアドレス）を知らなければならない。または、訪問者の携帯情報端末ごとにアプリケーションを用意しなければならない。
【００１２】
また、病院においては、訪問者は、特定の通信方式の携帯情報端末の電源を切らなければならないことが多い。よって、特許文献１に記載する技術では、緊急性の高い情報を訪問者へ効果的に通知することが難しい。
【００１３】
本発明は、このような問題点に鑑み、施設、特に病院において、インフラの整備のためのコストを従来よりも抑え、かつ、出力先として携帯情報端末を用いることなく、停電の際に緊急性の高い情報を報知できるようにすることを、目的とする。
【課題を解決するための手段】
【００１４】
本発明の一形態に係る緊急情報表示支援ユニットは、制御部と、ＵＰＳ（Uninterrupted Power Supply）と、スイッチと、によって構成される緊急情報表示支援ユニットであって、前記スイッチは、第一の情報を入力する第一の入力手段と、第二の情報を入力する第二の入力手段と、切換えに関する切換信号を入力する第三の入力手段と、前記第一の入力手段に入力された前記第一の情報および前記第二の入力手段に入力された前記第二の情報を、前記第三の入力手段によって入力された前記切換信号に基づいて選択的にディスプレイへ出力する出力手段と、を有し、前記制御部には、緊急または非常に関する情報を前記第一の情報として前記第一の入力手段へ出力する、緊急情報出力手段と、緊急または非常を示す合図が入力されると、前記第一の情報を出力するように切り換えるための信号を前記切換信号として前記第三の入力手段へ出力する、切換信号出力手段と、を有し、前記ＵＰＳは、停電の際に前記ディスプレイへ電力を供給する。
【００１５】
好ましくは、前記緊急情報出力手段は、前記合図が入力されると、前記緊急または非常に関する情報を出力する。
【００１６】
さらに好ましくは、前記制御部、前記ＵＰＳ、および前記スイッチが１つの筐体に収納されている。
【００１７】
前記合図は、前記ＵＰＳから発信される、停電を表わす信号である。または、前記合図は、所定の文字列を含む電子メールである。
【００１８】
または、前記緊急情報出力手段は、前記緊急または非常に関する情報を、前記合図に応じて出力する。
【００１９】
または、前記切換信号出力手段は、メンテナンスを開始する旨を示す開始合図が前記制御部に入力されてから、当該メンテナンスを終了する旨を示す終了合図が前記制御部に入力されるまでの間は、前記第一の情報を出力するように切り換えるための信号を出力しない。または、前記ＵＰＳは、停電の際に、さらに前記制御部へ電力を供給する。
【発明の効果】
【００２０】
本発明によると、施設において、インフラの整備のためのコストを従来よりも抑え、かつ、出力先として携帯情報端末を用いることなく、停電の際に緊急性の高い情報を報知することができる。
【図面の簡単な説明】
【００２１】
【図１】情報提示システムの全体的な構成の例を示す図である。
【図２】制御装置のハードウェア構成の例を示す図である。
【図３】制御装置の機能的構成の例を示す図である。
【図４】コンテンツデータの例を示す図である。
【図５】フォームおよび緊急情報画面の例を示す図である。
【図６】制御装置における全体的な処理の流れの例を説明するフローチャートである。
【図７】制御装置における全体的な処理の流れの例を説明するフローチャートである。
【発明を実施するための形態】
【００２２】
図１は、情報提示システム５の全体的な構成の例を示す図である。図２は、制御装置２０のハードウェア構成の例を示す図である。
【００２３】
図１に示すように、情報提示システム５は、通常情報配信装置１、緊急情報表示支援ユニット２、ディスプレイ３、通信回線４０、第一の信号変換器４１、および第二の信号変換器４２などによって構成される。
【００２４】
情報提示システム５は、病院、役所、または学校などの施設に備えられ、施設の中にいる人へ情報を提示するために使用される。以下、病院において情報提示システム５が使用される場合を例に説明する。
【００２５】
通常情報配信装置１は、緊急性を要しない通常の情報、例えば、病院内の設備、開業時間、休業日、または病気の予防策などに関する情報をディスプレイ３へ配信する。
【００２６】
具体的には、通常情報配信装置１は、これらの情報を表わす画像（文字列、図表、イラスト、写真、またはこれらの組合せ）の画像データを、所定の規格の映像信号に変換して出力する。以下、この信号を「通常映像信号６Ｔ」と記載する。また、この規格として、アナログＲＧＢ（Red Green Blue）、ＤＶＩ（Digital Visual Interface）、またはＨＤＭＩ（High-Definition Multimedia Interface）などの規格が用いられる。「ＨＤＭＩ」は、登録商標である。
【００２７】
通常情報配信装置１として、この規格の出力端子を有するパーソナルコンピュータが用いられる。
【００２８】
通常情報配信装置１は、この出力端子を介して第一の信号変換器４１に繋がれている。そして、通常映像信号６Ｔは、通常情報配信装置１から出力されると、第一の信号変換器４１に入力される。
【００２９】
第一の信号変換器４１と第二の信号変換器４２とは、通信回線４０を介して接続されている。通信回線４０として、有線または無線のイーサネット（登録商標）が用いられる。
【００３０】
第一の信号変換器４１は、この規格の映像信号を、イーサネット（登録商標）用のツイストペアケーブルで伝送できるようにパケットに変換する。そして、パケットを、通信回線４０を介して第二の信号変換器４２へ送信する。
【００３１】
第二の信号変換器４２は、パケットを第一の信号変換器４１から受信し、この規格の映像信号に変換（復号）し、この規格の出力端子に繋がれた装置へ出力する。この出力端子には、緊急情報表示支援ユニット２またはディスプレイ３を繋ぐことができる。
【００３２】
このような仕組みによって、通常映像信号６Ｔを通常情報配信装置１から緊急情報表示支援ユニット２またはディスプレイ３へ送信することができる。
【００３３】
第一の信号変換器４１および第二の信号変換器４２として、インタフェースを備えるディスプレイエクステンダまたはＫＶＭ（Keyboard Video Mouse）エクステンダが用いられる。
【００３４】
ディスプレイ３は、この規格の映像信号を入力し、この映像信号に基づいて画像を表示する。ディスプレイ３として、有機ＥＬディスプレイ、液晶ディスプレイ、またはプラズマディスプレイなどが用いられる。従来は、ディスプレイ３は、緊急情報表示支援ユニット２を介さずに第二の信号変換器４２から通常映像信号６Ｔを受信し、通常の情報を表示する。
【００３５】
通常情報配信装置１、ディスプレイ３、通信回線４０、第一の信号変換器４１、および第二の信号変換器４２は、病院に備えられた既存のものでよい。ただし、後述するように、ディスプレイ３と第一の信号変換器４１との間に緊急情報表示支援ユニット２が設けられる。
【００３６】
緊急情報表示支援ユニット２は、緊急または非常の際に、災害に関する情報または避難などの対応に関する情報のような緊急性を要する情報（以下、「緊急情報」と記載する。）をディスプレイ３へ配信する。
【００３７】
緊急情報表示支援ユニット２は、制御装置２０、入力信号スイッチ２４、およびＵＰＳ（Uninterrupted Power Supply）２５などによって構成される。制御装置２０、入力信号スイッチ２４、およびＵＰＳ２５は、１つの筐体に収納されている。筐体の大きさは、ディスプレイ３よりも小さく、セットトップボックス程度である。そして、緊急情報表示支援ユニット２は、ディスプレイ３の背面に据え付けられて使用される。
【００３８】
制御装置２０は、図２に示すように、ＣＰＵ（Central Processing Unit）２０ａ、ＲＡＭ（Random Access Memory）２０ｂ、ＲＯＭ（Read Only Memory）２０ｃ、フラッシュメモリ２０ｄ、グラフィックボード２０ｅ、ＵＳＢ（Universal Serial Bus）インタフェースボード２０ｆ、無線ＬＡＮ（Local Area Network）通信部２０ｇ、および携帯電話通信機２０ｈなどによって構成される。
【００３９】
グラフィックボード２０ｅは、画面データが表わす画面（画像）をディスプレイで表示するための映像信号を生成する。つまり、画面データを映像信号に変換する。本実施形態では、グラフィックボード２０ｅはディスプレイ３に繋がれており、ディスプレイ３に対応した映像信号に変換する。
【００４０】
ＵＳＢインタフェースボード２０ｆは、ＵＳＢの規格に対応した装置（いわゆる、ＵＳＢ機器）と通信を行う。本実施形態では、特に、入力信号スイッチ２４およびＵＰＳ２５と繋がれて使用される。
【００４１】
無線ＬＡＮ通信部２０ｇは、ＩＥＥＥ（Institute of Electrical and Electronics Engineers）８０２．１１シリーズすなわち無線ＬＡＮの規格に基づいて無線通信を行う。
【００４２】
携帯電話通信機２０ｈは、ＬＴＥ（Long Term Evolution）またはＷ−ＣＤＭＡ（Wideband Code Division Multiple Access）などの携帯電話の通信の規格に基づいて無線通信を行う。または、ＰＨＳ（Personal Handy-phone System）の規格であってもよい。
【００４３】
ＲＯＭ２０ｃまたはフラッシュメモリ２０ｄには、緊急情報表示プログラム２Ｐが記憶されている。緊急情報表示プログラム２Ｐは、ディスプレイ３に、緊急でも非常でもない場合は通常の情報を表示させ、緊急または非常の場合に緊急性を要する情報を表示させるためのプログラムである。緊急情報表示プログラム２Ｐは、ＲＡＭ２０ｂにロードされ、ＣＰＵ２０ａによって実行される。
【００４４】
制御装置２０は、パーソナルコンピュータまたはタブレットコンピュータに緊急情報表示プログラム２Ｐをインストールすることによって、構成することができる。
【００４５】
入力信号スイッチ２４は、切換部、映像信号を入力する２つの入力端子、映像信号を出力する１つの出力端子、およびＵＳＢインタフェースボード２４ｕなどを備える。
【００４６】
２つの入力端子のうちの一方は、第二の信号変換器４２に繋がれており、もう一方は、制御装置２０のグラフィックボード２０ｅに繋がれている。以下、前者を「入力端子２４ｔ」と記載し、後者を「入力端子２４ｈ」と記載する。また、出力端子を「出力端子２４ｓ」と記載する。ＵＳＢインタフェースボード２４ｕは、制御装置２０のＵＳＢインタフェースボード２０ｆに繋がれている。
【００４７】
そして、切換部は、ＵＳＢインタフェースボード２４ｕを介して制御装置２０から入力された信号に応じて、２つの入力端子２４ｔ、４２ｈそれぞれに入力される映像信号のうちの一方のみを、出力端子２４ｓから出力させる。
【００４８】
通常は、入力端子２４ｔから入力される映像信号（つまり、通常映像信号６Ｔ）が出力端子２４ｓから出力されるように設定されている。
【００４９】
ＵＰＳ２５は、制御装置２０およびディスプレイ３が１５分ほど動作するのに必要な容量のバッテリを備えている。容量は、これよりも多くてもよいし、少なくてもよい。ただし、容量を多くし過ぎるとバッテリが重くなり過ぎるので、緊急情報表示支援ユニット２をディスプレイ３に備え付けるのに耐え得る程度に留めるのが望ましい。容量を少なくし過ぎると、停電時の報知が十分にできなくなるかもしれないので、５分程度は制御装置２０およびディスプレイ３が動作する程度は、容量があったほうがよい。そして、商用電源が停電になった際に、制御装置２０およびディスプレイ３へ電力を供給する。停電の際に制御装置２０への電力の供給が一時的に停止すると、制御装置２０がリセットされてしまう。
【００５０】
これを防止するために、ＵＰＳ２５として、常時インバータ給電方式のＵＰＳ（無停電電源装置）を用いるのが好ましい。この場合は、商用電源が正常にＵＰＳ２５へ供給されている際も、制御装置２０およびディスプレイ３への電力は、ＵＰＳ２５を介して供給される。ＵＰＳ２５は、常時インバータ給電方式のＵＰＳでなくてもよい。特に、制御装置２０の中にバッテリが備わっている場合は、電力の供給の一時的な停止の可能性が低いので、常時商用給電方式のＵＰＳであってもよい。
【００５１】
また、ＵＰＳ２５は、ＵＳＢインタフェースボードを有しており、制御装置２０のＵＳＢインタフェースボード２０ｆに繋がれている。そして、商用電源からの電力の供給が停止した際に、その旨を知らせる信号（以下「停電信号６Ｅ」と記載する。）を制御装置２０へ出力する。
【００５２】
図３は、制御装置２０の機能的構成の例を示す図である。図４は、コンテンツデータ６１の例を示す図である。図５は、フォーム７Ｆおよび緊急情報画面７Ｇの例を示す図である。
【００５３】
次に、緊急情報表示プログラム２Ｐによる通常の情報と緊急情報との表示の切換えの仕組みなどについて説明する。
【００５４】
緊急情報表示プログラム２Ｐによると、図３に示すコンテンツ記憶部２０１、フラグ記憶部２０２、コンテンツ選定部２０３、画面データ生成部２０４、第一の切換指令部２０５、第二の切換指令部２０６、およびフラグ更新部２０７などの機能が実現される。これらの機能のうちの一部分をオペレーティングシステムによって実現してもよい。
【００５５】
コンテンツ記憶部２０１には、図４に示すように、コンテンツデータ６１が予め複数、記憶されている。コンテンツデータ６１には、次の事項が示される。
【００５６】
「コード」は、コンテンツデータ６１を他のコンテンツデータ６１と区別するための識別子である。「コンテンツ」は、患者へ知らせる内容（コンテンツ）を表わすテキストデータである。「送信元」は、このコンテンツを、どの端末装置から指令があった場合にディスプレイ３に表示させるのかを、示している。
【００５７】
さらに、コンテンツ記憶部２０１には、コンテンツデータ６２が予め記憶されている。コンテンツデータ６２は、「停電が発生しました。慌てず、職員の指示に従って下さい」のような、停電の発生の際に患者へ知らせるべきコンテンツである。
【００５８】
フラグ記憶部２０２には、フラグ６８が予め記憶されている。フラグ６８は、通常の情報から緊急情報への切換えの機能のオン／オフを示す。フラグ６８のデフォルトの値は「オン」である。
【００５９】
ところで、緊急または非常の事態は、次の２つの発信元によって緊急情報表示支援ユニット２に通知される。
【００６０】
１つ目の発信元は、ＵＰＳ２５である。上述の通り、ＵＰＳ２５は、商用電源からの電力の供給が停止すると、停電信号６Ｅを制御装置２０へ出力する。
【００６１】
２つ目の発信元は、病院の管理者の端末装置である。病院の管理者は、火災または地震などが発生したことを知ると、直ちに、端末装置（例えば、パーソナルコンピュータ、スマートフォン、またはタブレットコンピュータ）を操作し、電子メールを次のように作成する。
【００６２】
コンテンツ記憶部２０１にコンテンツデータ６１が用意されているコンテンツをディスプレイ３に表示させた場合は、管理者は、そのコンテンツのコードを電子メールのタイトルとして入力する。本文には、何も記入しなくてもよい。
【００６３】
一方、用意されていないコンテンツを表示させたい場合は、管理者は、それを電子メールの本文として入力する。タイトルには、所定のコード（例えば、「１１１」）を入力する。以下、このコードを「自由文コード」と記載する。ただし、自由文コードは、いずれのコンテンツデータ６１にも使用されていない。また、後述する、いずれの機能切換コードおよび復旧通知コードとも、重複していない。
【００６４】
そして、制御装置２０に割り当てられている携帯電話番号または電子メールアドレスへ宛てて、作成した電子メールを送信する。以下、この電子メールを「電子メール６Ｍ」と記載する。電子メール６Ｍは、ＳＭＳ（Short Message Service）またはＭＭＳ（Multimedia Messaging Service）のメッセージとして制御装置２０へ送信される場合もある。または、アップル社のｉＭｅｓｓａｇｅなどのインスタントメッセージサービスのメッセージとして制御装置２０へ送信される場合もある。後述する電子メール６Ｎ１および６Ｎ２についても、同様である。
【００６５】
コンテンツ選定部２０３は、ＵＰＳ２５から停電信号６Ｅが入力された場合、および、無線ＬＡＮ通信部２０ｇまたは携帯電話通信機２０ｈによって電子メール６Ｍが受信された場合に、ディスプレイ３に表示すべきコンテンツを、次のように選定する。
【００６６】
停電信号６Ｅが入力された場合は、コンテンツ選定部２０３は、コンテンツデータ６２に示されるコンテンツを、表示すべきコンテンツとして選定する。
【００６７】
または、電子メール６Ｍが受信された場合は、コンテンツ選定部２０３は、コンテンツデータ６１それぞれのコードを電子メール６Ｍのタイトルと比較する。そして、電子メール６Ｍのタイトルと一致するコードを有するコンテンツデータ６１があれば、そのコンテンツデータ６１に示される発信元が、電子メール６Ｍの発信元と一致するか否かをチェックする。そして、一致する場合は、そのコンテンツデータ６１に示されるコンテンツを、表示すべきコンテンツとして選定する。または、電子メール６Ｍのタイトルが自由文コードと一致すれば、電子メール６Ｍの本文を、表示すべきコンテンツとして選定する。この場合は、予め設定された発信元から電子メール６Ｍが送信されてきた場合にのみ選定するのが、望ましい。
【００６８】
ただし、フラグ６８の値が「オフ」である場合は、コンテンツ選定部２０３は、コンテンツを選定しない。この場合は、次に説明する画面データ生成部２０４による処理および第一の切換指令部２０５による処理も、実行されない。
【００６９】
画面データ生成部２０４は、コンテンツ選定部２０３によってコンテンツが選定されると、そのコンテンツを示す緊急情報画面７Ｇの画面データ６Ｇを生成する。例えば、図５（Ａ）のようなフォーム７Ｆの画面データを予め用意しておく。そして、選定されたコンテンツを表わす文字列が図５（Ｂ）のように所定の欄に埋め込まれるように画面データを更新することによって、画面データ６Ｇを生成する。
【００７０】
グラフィックボード２０ｅは、画面データ６Ｇを映像信号に変換し、入力信号スイッチ２４へ出力する。以下、この映像信号を、通常映像信号６Ｔと区別するために「緊急映像信号６Ｈ」と記載する。
【００７１】
第一の切換指令部２０５は、画面データ６Ｇが画面データ生成部２０４によって生成されると、切換信号６Ｋ１を入力信号スイッチ２４へ出力する。これにより、出力する映像信号の切換えの指令が入力信号スイッチ２４に対して与えられる。
【００７２】
なお、フラグ６８の値が「オン」である場合に電子メール６Ｍまたは停電信号６Ｅが制御装置２０に入力されたことを、切換信号６Ｋ１を出力する条件（トリガ）としてもよい。
【００７３】
入力信号スイッチ２４は、ＵＳＢインタフェースボード２４ｕから９切換信号６Ｋ１が入力されると、出力端子２４ｓから出力する映像信号を、入力端子２４ｔから入力される映像信号（つまり、通常映像信号６Ｔ）から、入力端子２４ｈから入力される映像信号（つまり、緊急映像信号６Ｈ）へ切り換える。
【００７４】
そして、ディスプレイ３は、入力信号スイッチ２４から緊急映像信号６Ｈが入力されると、緊急映像信号６Ｈに基づいて、例えば図５（Ｂ）に示したような緊急情報画面７Ｇを表示する。
【００７５】
〔メンテナンス時〕
ところで、メンテナンスのために、ＵＰＳ２５への商用電力の供給を一時的に止めたり、電子メール６Ｍを制御装置２０へ送信したりすることがある。すると、緊急または非常でないにも関わらず、緊急映像信号６Ｈがディスプレイ３へ送信され、緊急情報画面７Ｇがディスプレイ３に表示されてしまう。
【００７６】
そこで、通常の情報から緊急情報への切換えの機能のオン／オフが、次の方法によって切り換えられる。
【００７７】
管理者は、メンテナンスを開始する前に、電子メール６Ｎ１を端末装置によって作成する。電子メール６Ｎ１には、タイトルとして、メンテナンスを開始する旨を意味する所定の機能切換コード（例えば、「２２２」）が示される。そして、電子メール６Ｎ１を制御装置２０へ宛てて送信する。
【００７８】
制御装置２０において、電子メール６Ｎ１が受信されると、フラグ更新部２０７は、電子メール６Ｎ１のタイトルに所定の機能切換コード（メンテナンスを開始する旨を意味するコード）が示されていれば、フラグ６８の値を「オフ」に更新する。
【００７９】
すると、その後、停電信号６Ｅが入力されまたは電子メール６Ｍが受信されても、フラグ６８の値が「オフ」なので、コンテンツ選定部２０３はコンテンツを選定せず、画面データ生成部２０４は画面データ６Ｇを生成せず、第一の切換指令部２０５は切換信号６Ｋ１を出力しない。よって、ディスプレイ３には、通常の情報が引き続き表示される。
【００８０】
メンテナンスが終了したら、管理者は、電子メール６Ｎ２を端末装置によって作成する。電子メール６Ｎ２には、タイトルとして、メンテナンスが終了した旨を意味する所定の機能切換コード（例えば、「３３３」）が示される。そして、電子メール６Ｎ２を制御装置２０へ宛てて送信する。
【００８１】
制御装置２０において、電子メール６Ｎ２が受信されると、フラグ更新部２０７は、電子メール６Ｎ１のタイトルに所定の機能切換コード（メンテナンスが終了した旨を意味するコード）が示されていれば、フラグ６８の値を「オン」に更新する。
【００８２】
すると、その後、停電信号６Ｅが入力されまたは電子メール６Ｍが受信されると、上述の通り、コンテンツ選定部２０３、画面データ生成部２０４、および第一の切換指令部２０５によって処理が行われ、ディスプレイ３に緊急情報画面７Ｇが表示される。
【００８３】
〔復旧時〕
緊急情報画面７Ｇをディスプレイ３に表示させた後、すぐに、災害が収まったり、病院への影響がないことが分かったりすることが、ある。このような場合は、緊急情報画面７Ｇを表示するのを止め、通常の情報を再び表示するのが望ましい。
【００８４】
そこで、このような場合に、管理者は、電子メール６Ｎ３を端末装置によって作成する。電子メール６Ｎ３には、タイトルとして、通常に戻った旨を意味する復旧通知コード（例えば、「５５５」）が示される。そして、電子メール６Ｎ３を制御装置２０へ宛てて送信する。
【００８５】
制御装置２０において、電子メール６Ｎ３が受信されると、第二の切換指令部２０６は、電子メール６Ｎ３のタイトルに所定の復旧通知コード（通常に戻った旨を意味するコード）が示されていれば、切換信号６Ｋ２を入力信号スイッチ２４へ出力する。
【００８６】
入力信号スイッチ２４は、切換信号６Ｋ２が入力されると、出力端子２４ｓから出力する映像信号を、入力端子２４ｈから入力される映像信号（つまり、緊急映像信号６Ｈ）から、入力端子２４ｔから入力される映像信号（つまり、通常映像信号６Ｔ）へ切り換える。
【００８７】
そして、ディスプレイ３へ入力信号スイッチ２４から通常映像信号６Ｔが再び入力されると、ディスプレイ３は、通常映像信号６Ｔに基づいて通常の情報を表示する。
【００８８】
ところで、停電になると、ＵＰＳ２５のバッテリが枯渇するまで緊急情報表示支援ユニット２およびディスプレイ３が動作するが、枯渇すると、緊急情報表示支援ユニット２およびディスプレイ３がダウンする。
【００８９】
その後、商用電源が復旧すると、再び緊急情報表示支援ユニット２およびディスプレイ３が動作し始める。緊急情報表示支援ユニット２は、再起動し、デフォルトの状態で処理を開始する。
【００９０】
また、第二の切換指令部２０６は、再起動の際に、念のために切換信号６Ｋ２を入力信号スイッチ２４へ出力する。これにより、より確実に、通常の情報がディスプレイ３に表示される。
【００９１】
図６〜図７は、制御装置２０における全体的な処理の流れの例を説明するフローチャートである。
【００９２】
次に、制御装置２０が緊急情報表示プログラム２Ｐに基づいて実行する全体的な処理の流れを、図６〜図７を参照しながら説明する。
【００９３】
制御装置２０は、電源がオンになると、オペレーティングシステムを起動し、さらに、緊急情報表示プログラム２Ｐを起動する。そして、緊急情報表示プログラム２Ｐに基づいて次の通り処理を実行する。
【００９４】
緊急情報表示プログラム２Ｐの起動後、制御装置２０は、初期化の処理を行う（図６の＃７１）。この処理において、特に、切換信号６Ｋ２を入力信号スイッチ２４へ出力する。これにより、より確実に通常映像信号６Ｔが入力信号スイッチ２４からディスプレイ３へ出力される。
【００９５】
制御装置２０は、停電信号６Ｅが入力されまたは電子メール（電子メール６Ｍ、６Ｎ１、６Ｎ２、または６Ｎ３）を受信するのを待つ（＃７２）。
【００９６】
停電信号６Ｅが入力された場合は（＃７３でＹｅｓ）、フラグ６８の値が「オン」であれば（＃７４でＹｅｓ）、制御装置２０は、コンテンツデータ６２に示されるコンテンツつまり停電用のコンテンツを、ディスプレイ３における緊急または非常の際の表示用のコンテンツとして選定する（＃７５）。
【００９７】
または、電子メールを受信した場合は（＃７３でＮｏ）、電子メールのタイトルと一致するコードを有するコンテンツデータ６１があり（＃７６でＹｅｓ）、かつ、フラグ６８の値が「オン」であれば（＃７７でＹｅｓ）、制御装置２０は、そのコンテンツデータ６１に示される発信元が、電子メールの発信元と一致するか否かをチェックする（＃７８）。そして、一致すれば（＃７９でＹｅｓ）、そのコンテンツデータ６１に示されるコンテンツを、表示すべきコンテンツとして選定する（＃８０）。
【００９８】
または、電子メールのタイトルが自由文コードと一致し（＃８１でＹｅｓ）、かつ、フラグ６８の値が「オン」であれば（＃８２でＹｅｓ）、制御装置２０は、電子メールの発信元が所定の発信元であるか否かをチェックする（＃８３）。そして、所定の発信元であれば（＃８４でＹｅｓ）、電子メールの本文を、表示すべきコンテンツとして選定する（＃８５）。
【００９９】
そして、制御装置２０は、ステップ＃７５、＃８０、または＃８５で選定したコンテンツを用いて画面データ６Ｇを生成し（図７の＃８６）、画面データ６Ｇを緊急映像信号６Ｈに変換して入力信号スイッチ２４へ出力する（＃８７）。さらに、切換信号６Ｋ１を入力信号スイッチ２４へ与える（＃８８）。これにより、図５（Ｂ）に例示したような、選定したコンテンツを示す緊急情報画面７Ｇがディスプレイ３に表示される。
【０１００】
または、電子メールのタイトルに、メンテナンスを開始する旨を意味する機能切換コードが示される場合は（＃８９でＹｅｓ）、制御装置２０は、フラグ６８をオフに切り換える（＃９０）。これにより、停電信号６Ｅが入力されまたは電子メール６Ｍが受信されても、切換信号６Ｋ１も緊急映像信号６Ｈも、入力信号スイッチ２４へ出力されない。
【０１０１】
または、電子メールのタイトルに、メンテナンスを終了する旨を意味する機能切換コードが示される場合は（＃９１でＹｅｓ）、制御装置２０は、フラグ６８をオンに切り換える（＃９２）。これにより、その後、停電信号６Ｅが入力されまたは電子メール６Ｍが受信されると、切換信号６Ｋ１および緊急映像信号６Ｈが入力信号スイッチ２４へ出力されるようになる。
【０１０２】
または、電子メールのタイトルに復旧通知コードが示される場合は（＃９３でＹｅｓ）、制御装置２０は、切換信号６Ｋ２を入力信号スイッチ２４へ出力する（＃９４）。これにより、入力信号スイッチ２４からディスプレイ３へ通常映像信号６Ｔが出力され、通常の情報がディスプレイ３に表示されるようになる。
【０１０３】
本実施形態によると、既存の通常情報配信装置１、通信回線４０、第一の信号変換器４１、第二の信号変換器４２、およびディスプレイ３に緊急情報表示支援ユニット２を組み合わせるだけで、出力先として携帯情報端末を用いることなく、停電の際に緊急性の高い情報を報知できるようにすることができる。よって、インフラの整備のためのコストを従来よりも抑えることができる。しかも、停電の際にも、施設の予備電源を使うことなく、緊急性の高い情報を報知することができる。
【０１０４】
本実施形態では、ＵＰＳ２５は、制御装置２０およびディスプレイ３の両方に電力を供給したが、制御装置２０に充電池が備わっている場合は、ディスプレイ３にのみ供給してもよい。そして、制御装置２０は、停電の際、この充電池に蓄電されている電力を用いて処理を行えばよい。
【０１０５】
入力信号スイッチ２４へは、ＵＰＳ２５から電力を供給してもよいし、ＵＳＢケーブルを介して制御装置２０から電力を供給してもよい。
【０１０６】
本実施形態では、制御装置２０は、緊急または非常の発生を、停電信号６Ｅの入力または電子メール６Ｍの受信によって検知したが、携帯電話会社、公的機関、放送局、またはポータルサービス会社などが提供する災害通報を受信することによって検知してもよい。
【０１０７】
本実施形態では、制御装置２０は、緊急情報を文字列で表現して提供したが、図表、イラスト、写真などによって表現される情報を提供してもよい。または、文字列、図表、イラスト、および写真などのうちのいずれかを組み合わせて表現したものを提供してもよい。または、動画像で表現したものを提供してもよい。通常の情報についても、同様である。
【０１０８】
電子メール６Ｍとして、ＳＭＳのメッセージを使用する場合は、タイトルを付すことができない場合がある。この場合は、本文の１行目にタイトルを記述し、２行目以降にコンテンツを記述すればよい。
【０１０９】
本実施形態では、図１に示したように、緊急情報表示支援ユニット２およびディスプレイ３の組合せを１組だけ示したが、複数組、情報提示システム５に設けられていてもよい。この場合は、通常の情報が各組のディスプレイ３へ配信される。ディスプレイ３ごとに、通常の情報の内容を変えてもよい。この場合は、緊急情報表示支援ユニット２ごとに、それが設置される場所などに応じて、通常の情報または緊急情報の内容を変えてもよい。
【０１１０】
本実施形態では、ディスプレイ３へ通常の情報を通常情報配信装置１から配信したが、他の配信元および配信方法であってもよい。例えば、クラウドサービスなどから公衆回線を介して配信してもよい。または、通常情報配信装置１を直接、ディスプレイ３へＨＤＭＩケーブルまたはＲＧＢケーブルで繋いで通常の情報を配信してもよい。
【０１１１】
本実施形態では、ＵＳＢを用いて一部の信号のやり取りを行ったが他の公知の規格を用いて行ってもよい。
【０１１２】
その他、情報提示システム５、通常情報配信装置１、緊急情報表示支援ユニット２、制御装置２０、ディスプレイ３の全体または各部の構成、処理内容、処理順序などは、本発明の趣旨に沿って適宜変更することができる。
【符号の説明】
【０１１３】
２  緊急情報表示支援ユニット
２０  制御装置（制御部）
２０ｅ  グラフィックボード（緊急情報出力手段）
２０ｆ  ＵＳＢインタフェースボード（切換信号出力手段）
２４  入力信号スイッチ（スイッチ）
２４ｈ  入力端子（第一の入力手段）
２４ｓ  出力端子（出力手段）
２４ｔ  入力端子（第二の入力手段）
２４ｕ  ＵＳＢインタフェースボード（第三の入力手段）
２５  ＵＰＳ
３  ディスプレイ
６Ｅ  停電信号
６Ｈ  緊急映像信号
６Ｋ１  切換信号
６Ｍ  電子メール
６Ｔ  通常映像信号
【図１】
2017004376.tif 000003
【図２】
2017004376.tif 000004
【図３】
2017004376.tif 000005
【図４】
2017004376.tif 000006
【図５】
2017004376.tif 000007
【図６】
2017004376.tif 000008
【図７】
2017004376.tif 000009
【手続補正書】
【提出日】平成28年10月3日(2016.10.3)
【手続補正１】
【補正対象書類名】特許請求の範囲
【補正対象項目名】全文
【補正方法】変更
【補正の内容】
【特許請求の範囲】
【請求項１】
複数のディスプレイを設置している施設において、当該複数のディスプレイのうちのいずれか１つのディスプレイに取り付けられて使用される緊急情報表示支援ユニットであって、
制御部とスイッチとが１つの筐体に収納されることで構成され、
前記スイッチは、
第一の情報を入力する第一の入力手段と、
第二の情報を入力する第二の入力手段と、
切換えに関する切換信号を入力する第三の入力手段と、
前記第一の入力手段に入力された前記第一の情報および前記第二の入力手段に入力された前記第二の情報を、前記第三の入力手段によって入力された前記切換信号に基づいて選択的にディスプレイへ出力する出力手段と、
を有し、
前記制御部には、
緊急または非常に関する情報を前記第一の情報として前記第一の入力手段へ出力する、緊急情報出力手段と、
緊急または非常を示す合図が入力されると、前記第一の情報を出力するように切り換えるための信号を前記切換信号として前記第三の入力手段へ出力する、切換信号出力手段と、
を有する、
ことを特徴とする緊急情報表示支援ユニット。
【請求項２】
前記緊急情報出力手段は、前記合図が入力されると、前記緊急または非常に関する情報を出力する、
請求項１に記載の緊急情報表示支援ユニット。
【請求項３】
ＵＰＳ（Uninterrupted Power Supply）がさらに前記筐体に収納され、
前記ＵＰＳは、停電の際に、前記制御部および前記複数のディスプレイのうちの当該緊急情報表示支援ユニットが取り付けられたディスプレイへ電力を供給する、
請求項１または請求項２に記載の緊急情報表示支援ユニット。
【請求項４】
前記合図は、前記ＵＰＳから発信される、停電を表す信号である、
請求項１ないし請求項３のいずれかに記載の緊急情報表示支援ユニット。
【請求項５】
前記合図は、所定の文字列を含む電子メールである、
請求項１ないし請求項３のいずれかに記載の緊急情報表示支援ユニット。
【請求項６】
前記緊急情報出力手段は、前記緊急または非常に関する情報を、前記合図に応じて出力する、
請求項１ないし請求項５のいずれかに記載の緊急情報表示支援ユニット。
【請求項７】
前記緊急情報出力手段は、前記緊急または非常に関する情報を、前記複数のディスプレイのうちの当該緊急情報表示支援ユニットが取り付けられたディスプレイが設置されている場所に応じて出力する、
請求項１ないし請求項５のいずれかに記載の緊急情報表示支援ユニット。
【請求項８】
前記切換信号出力手段は、メンテナンスを開始する旨を示す開始合図が前記制御部に入力されてから、当該メンテナンスを終了する旨を示す終了合図が前記制御部に入力されるまでの間は、前記第一の情報を出力するように切り換えるための信号を出力しない、
請求項１ないし請求項７のいずれかに記載の緊急情報表示支援ユニット。
【手続補正３】
【補正対象書類名】明細書
【補正対象項目名】００１４
【補正方法】変更
【補正の内容】
【００１４】
本発明の一形態に係る緊急情報表示支援ユニットは、複数のディスプレイを設置している施設において、当該複数のディスプレイのうちのいずれか１つのディスプレイに取り付けられて使用される緊急情報表示支援ユニットであって、制御部とスイッチとが１つの筐体に収納されることで構成され、前記スイッチは、第一の情報を入力する第一の入力手段と、第二の情報を入力する第二の入力手段と、切換えに関する切換信号を入力する第三の入力手段と、前記第一の入力手段に入力された前記第一の情報および前記第二の入力手段に入力された前記第二の情報を、前記第三の入力手段によって入力された前記切換信号に基づいて選択的にディスプレイへ出力する出力手段と、を有し、前記制御部には、緊急または非常に関する情報を前記第一の情報として前記第一の入力手段へ出力する、緊急情報出力手段と、緊急または非常を示す合図が入力されると、前記第一の情報を出力するように切り換えるための信号を前記切換信号として前記第三の入力手段へ出力する、切換信号出力手段と、を有する。
【手続補正４】
【補正対象書類名】明細書
【補正対象項目名】００１６
【補正方法】変更
【補正の内容】
【００１６】
さらに好ましくは、ＵＰＳ（Uninterrupted Power Supply）がさらに前記筐体に収納され、前記ＵＰＳは、停電の際に、前記制御部および前記複数のディスプレイのうちの当該緊急情報表示支援ユニットが取り付けられたディスプレイへ電力を供給する。
【手続補正５】
【補正対象書類名】明細書
【補正対象項目名】００１９
【補正方法】変更
【補正の内容】
【００１９】
さらに好ましくは、前記緊急情報出力手段は、前記緊急または非常に関する情報を、前記複数のディスプレイのうちの当該緊急情報表示支援ユニットが取り付けられたディスプレイが設置されている場所に応じて出力する。
または、前記切換信号出力手段は、メンテナンスを開始する旨を示す開始合図が前記制御部に入力されてから、当該メンテナンスを終了する旨を示す終了合図が前記制御部に入力されるまでの間は、前記第一の情報を出力するように切り換えるための信号を出力しない。または、前記ＵＰＳは、停電の際に、さらに前記制御部へ電力を供給する。